(57)【特許請求の範囲】
【請求項１】
視標呈示装置により検査視標を呈示して被検眼の屈折力を検査する検眼装置において、被検眼の屈折力を他覚的に測定し，得られた被検眼の球面度数、乱視度数、乱視軸角度の他覚値データを入力する入力手段と、該入力手段によって入力された前記他覚値データが近視であって乱視度数が０のときは前記他覚値の球面度数に相当すると予測される裸眼視力値を得て、前記他覚値データが近視であって，かつ乱視がある場合には近視の球面度数に視力低下の視点から球面度数の屈折度数に換算された値を加算された球面度数に相当すると予測される裸眼視力値を得る視力値予測手段と、該視力予測手段により得られた予測視力値に基づいて定められる視力値を持つ視標を裸眼視力検査の開始時に前記視標呈示装置に呈示させる制御手段と、を有することを特徴とする検眼装置
【請求項２】
視標呈示装置により検査視標を呈示して被検眼の屈折力を検査する検眼装置において、被検眼の屈折力を他覚的に測定した他覚測定データを入力する入力手段と、他覚測定データが近視のときに適用する視力値を有する近視用テーブルと，該近視用テーブルと異なるテーブルであって他覚測定データが遠視のときに適用するための視力値を有する遠視用テーブルとを有し，前記入力された他覚測定データに基づいて前記近視用テーブル，遠視用テーブルを用いて予測される裸眼視力値を得る視力値予測手段と、該視力予測手段により得られた予測視力値に基づいて定められる視力値を持つ視標を裸眼視力検査の開始時に前記視標呈示装置に呈示させる制御手段と、を有することを特徴とする検眼装置。
【発明の詳細な説明】
【技術分野】
【０００１】
本発明は、被検眼の屈折力を検査する検眼装置に関する。
【背景技術】
【０００２】
被検眼の屈折異常を矯正する眼鏡レンズやコンタクトレンズを処方するための検眼においては、通常、自覚検眼に先立ち被検者の裸眼視力や前眼鏡視力を検査する。検査は右眼、左眼、両眼とそれぞれ検査視標を呈示し、これを判読できるか否かにより行う。
【０００３】
従来、検査視標の呈示は被検者に視標の見え具合を尋ねたりして、最初に呈示する視力値視標の目安をつけるか、適当な値から始めるのが普通であった。
【発明の開示】
【発明が解決しようとする課題】
【０００４】
しかし、検査の始めに呈示する視力値視標が本来の裸眼視力値や前眼鏡での視力値とかけ離れていると、呈示視標の変更や被検者への判読確認を何度も行わなければならず、検査時間が長くなるという問題があった。検査時間が長引くと被検者及び検者の疲労も増す。
また、右眼、左眼、両眼の検査を進めるにあたり、同じ視標を何度も呈示すると被検者に覚えられやすく、必ずしも正確な検査結果が得られているとはいえなかった。
本発明は、上記問題点に鑑み、視力検査が効率良く、また精度良く行うことができる検眼装置を提供することを技術課題とする。
【課題を解決するための手段】
【０００５】
（１）  視標呈示装置により検査視標を呈示して被検眼の屈折力を検査する検眼装置において、被検眼の屈折力を他覚的に測定し，得られた被検眼の球面度数、乱視度数、乱視軸角度の他覚値データを入力する入力手段と、該入力手段によって入力された前記他覚値データが近視であって乱視度数が０のときは前記他覚値の球面度数に相当すると予測される裸眼視力値を得て、前記他覚値データが近視であって，かつ乱視がある場合には近視の球面度数に視力低下の視点から球面度数の屈折度数に換算された値を加算された球面度数に相当すると予測される裸眼視力値を得る視力値予測手段と、該視力予測手段により得られた予測視力値に基づいて定められる視力値を持つ視標を裸眼視力検査の開始時に前記視標呈示装置に呈示させる制御手段と、を有することを特徴とする
（２）  視標呈示装置により検査視標を呈示して被検眼の屈折力を検査する検眼装置において、被検眼の屈折力を他覚的に測定した他覚測定データを入力する入力手段と、他覚測定データが近視のときに適用する視力値を有する近視用テーブルと，該近視用テーブルと異なるテーブルであって他覚測定データが遠視のときに適用するための視力値を有する遠視用テーブルとを有し，前記入力された他覚測定データに基づいて前記近視用テーブル，遠視用テーブルを用いて予測される裸眼視力値を得る視力値予測手段と、該視力予測手段により得られた予測視力値に基づいて定められる視力値を持つ視標を裸眼視力検査の開始時に前記視標呈示装置に呈示させる制御手段と、を有することを特徴とする。
【発明の効果】
【０００６】
本発明によれば、かけ離れた視力値視標から視力検査を行う場合に比べて短い時間で検査を行うことができ、検者及び被検者双方の負担を軽減することができるとともに、正確な値を得ることができる。
【発明を実施するための最良の形態】
【０００７】
以下、本発明の一実施例を図面に基づいて説明する。図１は実施例である検眼装置の全体構成を示す外観図である。
【０００８】
１は被検者と検者の間に配置される検眼テ−ブルである。２は自覚式屈折力測定装置であり、自覚式屈折力測定装置２は種々の光学素子を検眼窓１１に電動で切換え配置する左右一対のレンズユニット１０と、左右の検眼窓１１に配置される光学系の光軸間距離を被検者の瞳孔位置に合わせるために、左右のレンズユニット１０を吊り下げて左右方向に移動させるスライド機構を収納した吊り下げ部１２を備えている。
【０００９】
３は測定用指標を被検眼眼底に投影し眼底の投影指標像を受光手段で検出することに基づいて眼屈折力を測定する他覚式眼屈折力測定装置である。また、他覚式眼屈折力測定装置３は測定光学系を持つ測定部を一方の眼のアライメント完了状態から他方眼のアライメント完了状態へ移動させたときのその移動量に基づいて瞳孔間距離を得る機能を備えている。この他覚式眼屈折力測定装置３は検眼テ−ブル１上をスライド可能な移動トレイに載置されており、自覚検眼に先立って行う他覚検査の時には検眼テ−ブル１の中央位置にスライドさせて測定を実行する。
４は検査視標を呈示する投影式の視標呈示装置である。５は自覚式屈折力測定装置２及び投影式視標呈示装置４を操作するためのコントロ−ラ、６は各装置の通信中継を行うリレ−ユニットである。
【００１０】
図２はコントロ−ラ５を上から見た図である。
３０は検眼情報を表示するディスプレイであり、ディスプレイ３０には種々の情報を切替え表示できるようにドットマトリックス画面を使用している。
３１はスイッチ部であり、スイッチ部３１には、ディスプレイ３０の表示画面をメニュ−画面に切り替えるメニュ−スイッチ３２、表示画面上に表示されたカ−ソルを移動する２つのカ−ソル移動スイッチ３３、実行スイッチ３４、自覚式屈折力検査装置２の光学系を駆動する補助レンズスイッチ群３５、測定モ−ド切換スイッチ群３６、測定眼指定スイッチ群３７、数値入力に使用するスイッチやノブスイッチを持つ入力スイッチ群３８、他のスイッチと組み合わせて使用するシフトスイッチ３９、視標呈示装置４を駆動する視標スイッチ群４０、プログラム検眼を実行するスタ−トスイッチ４１ａやプログラム送りスイッチ４１ｂなどを持つプログラム実行スイッチ群４１、ディスプレイ３０の画面下方の所定位置に表示される情報に対応するファンクションスイッチ群４２、視標にマスクをかけるスイッチ群４３が配置されている。
【００１１】
図３は装置の制御を説明するためのブロック図である。
コントロ−ラ５のスイッチ部３１からのスイッチ信号は、所定の処理が施された後にマイクロコンピュ−タ回路５０に入力される。マイクロコンピュ−タ回路５０には検眼プログラム等の制御プログラムを記憶したメモリ５１と他覚値デ−タ等を記憶するメモリ５２が接続されており、マイクロコンピュ−タ回路５０はスイッチ信号をメモリ５１に記憶された制御プログラムに基づき各種デ−タに変換し、表示回路５３を介してディスプレイ３０の画面を制御するとともに変換信号をリレ−ユニット６のマイクロコンピュ−タ回路５５に入力する。マイクロコンピュ−タ回路５５は、屈折力及び瞳孔間距離に関するデ−タを自覚式屈折力検査装置２に、視標に関するデ−タを視標呈示装置４に送る。
【００１２】
マイクロコンピュ−タ回路５５から屈折力に関するデ−タを受けた自覚式屈折力検査装置２のマイクロコンピュ−タ回路６０は、駆動回路６１を介してモ−タ６２を駆動し、弱球面ディスク６３、強球面ディスク６４、補助レンズディスク６５、クロスシリンダ−ディスク６６等を回転させ、所定の光学系を検査窓に配置する。また、マイクロコンピュ−タ回路６０は瞳孔間距離に関する信号を受けると、駆動回路６７を介して駆動モ−タ２４を駆動してレンズユニット１０をスライドさせる。
【００１３】
マイクロコンピュ−タ回路５５から視標に関するデ−タを受けた視標呈示装置４のマイクロコンピュ−タ回路７０は、駆動回路７１を介してランプ７２を点灯すると共に、駆動回路７３を介しモ−タ７４を駆動し、視標が描かれた視標ディスク７５、マスクディスク７６を回転して所定の検査視標を被検眼の前方に置かれた図示なきスクリ−ンに投影する。
【００１４】
マイクロコンピュ−タ回路５５には他覚式眼屈折力測定装置３やレンズメ−タ９が接続され、送られてくる測定デ−タをメモリ５６に格納する。コントロ−ラ５側のマイクロコンピュ−タ回路５０から読み出し指令信号が入力されると、マイクロコンピュ−タ回路５５は指定された測定デ−タをメモリ５６から読み出し、コントロ−ラ５側に転送する。５７は測定結果を出力するプリンタであり、５８はその駆動回路である。
【００１５】
以上のような構成の装置において、その動作を説明する。
通常、検眼は問診、予備検査（裸眼視力測定、前眼鏡視力測定等）、他覚検査、自覚検査、処方値決定の順であるが、ここでは本装置が持つ検眼プログラムを実行する場合の手順に基づき、本発明の特徴的な裸眼視力検査及び前眼鏡視力検査の動作を中心に説明する。
【００１６】
本装置の検眼プログラムを行う場合は、まず他覚式眼屈折力測定装置３を使用した他覚検査を先に行う。その後問診を行い、続いてスタ−トスイッチ４１ａを押すことによりプログラム検眼を開始する。プログラム検眼は裸眼視力検査からスタ−トし、その後は基本的に送りスイッチ４１ｂを押すことによって、前眼鏡視力検査（前眼鏡を所持しているとき）、自覚検査、処方値決定の順に進む。
なお、他覚検査を始めに行うことにより、他覚値デ−タにより被検者の屈折状態（近視、遠視、乱視の有無等）が把握でき、問診時に見え具合や眼性疲労等の予測に役立てることもできる。
【００１７】
他覚式眼屈折力測定装置３により左右眼のＳＰＨ（球面度数）、ＣＹＬ（乱視度数）、ＡＸＩＳ（乱視軸角度）の各他覚値デ−タ及びＰＤ（瞳孔間距離）デ−タが得られたら、他覚式眼屈折力測定装置３のプリントスイッチを押すことにより、リレ−ユニット６のマイクロコンピュ−タ回路５５を介してメモリ５６に記憶する。その後、コントロ−ラ５の入力スイッチを押し、続いて他覚値スイッチを押すことによりメモリ５６に記憶したデ−タを、コントロ−ラ５側のメモリ５２の他覚値メモリエリアに転送記憶する。
【００１８】
また、マイクロコンピュ−タ回路５０の制御により、他覚値デ−タをメモリ５２の自覚値メモリエリアにコピ−記憶させ、表示回路５３を介してディスプレイ３０に記憶した他覚値デ−タを表示する。図４はこのときの表示例であり、表示画面の中央表示部８０には自覚値メモリエリアにコピ−したデ−タ（自覚値デ−タ＝他覚値デ−タ）を表示する。中央表示部８０の左右表示部８１には１つ前のデ−タである他覚値デ−タを表示する。
【００１９】
また、装置は他覚値デ−タに基づき自覚式屈折力検査装置２を動作させるための動作信号をリレ−ユニット６に送出する。マイクロコンピュ−タ回路５５を経由して動作信号を受けたマイクロコンピュ−タ回路６０は、各モ−タ６２を駆動して所定の光学系を検査窓に配置するとともに、ＰＤデ−タに基づく動作信号によりモ−タ２４を駆動して、左右レンズユニット１０を所定の間隔に置く。
なお、他覚値デ−タの入力は通信によるデ−タ転送の他、入力スイッチ群３８の操作により手入力で行ってもよい。
【００２０】
検者は、測定眼指定スイッチ群３７により測定眼（右眼）を指定し、プログラムスタ−トスイッチ４１ａを押して検眼プログラムをスタ−トさせる。プログラムスタ−トにより、マイクロコンピュ−タ回路５０は装置の測定モ−ドを裸眼測定モ−ドにするとともに、測定眼の選択指定による他覚値デ−タに基づき、予測される裸眼視力値を得る。この予測される裸眼視力値を得る手段は、他覚値デ−タを次の４つのタイプに分類し、図５に示す近視度数による視力値テ−ブル表Ａ及び、図６に示す年齢による調節力値テ−ブル表Ｂに基づいて行う。これらテ−ブル表Ａ，Ｂはメモリ５１に予め記憶されている。なお、本明細書ではＣＹＬ値はマイナス読みで行うものとする。
（1）他覚値のＳＰＨが０又はマイナスで、ＣＹＬ＝０のとき（正視、又は近視のみのとき）
テ−ブル表Ａに従いＳＰＨの値から予想視力値を得る。
（２）他覚値のＳＰＨが０又はマイナスで、ＣＹＬが有るとき（乱視のみ、又は近視で乱視があるとき）
ＣＹＬの値をＳＰＨと同等として、ＳＰＨ値にＣＹＬ値を加えた値からテ−ブル表Ａに基づき予想視力値を得る。
【００２１】
なお、ＣＹＬの値の半分をＳＰＨの値に加えた等価球面値から、テ−ブル表Ａに基づく予想視力値の得るようにしても良い。この２つの方法は、検者の方針により予め選択できるようにしておくこともできる。
（３）他覚値のＳＰＨがプラスで、ＣＹＬ＝０のとき（遠視のみのとき）
遠視の場合は調節力の影響が大きいので、年齢による調節力をテ−ブル表Ｂによりまず求める。年齢による調節力値は問診の時に年齢を入力しておくことにより求められる。その後、求めた調節力値からＳＰＨ値を減じ、その値がマイナスのときには、調節力が不足する分の値を近視度数相当としてテ−ブル表Ａに基づいて予想視力値を得る。０またはプラスのときは、調節力は足りるものとして（テ−ブル表Ａによる近視度数＝０として）、予想視力値は１．０とする。
（４）他覚値のＳＰＨがプラスで、ＣＹＬが有るとき（遠視で乱視があるとき）
年齢により算出したテ−ブル表Ｂに基づく調節力値からＳＰＨ値を減じた値がマイナスのときは、その値にＣＹＬ値を加えてテ−ブル表Ａに基づき予想視力値を得る（上記（２）と同じ考えに基づく）。０またはプラスのときは、ＣＹＬ値のみでテ−ブル表Ａに基づき予想視力値を得る。
【００２２】
マイクロコンピュ−タ回路５０は予想される裸眼視力値を得たら、その視力値を持つ検査視標を初期値として呈示するようにマイクロコンピュ−タ回路５５を経由して視標呈示装置４に視標信号を送る。このときの呈示視標の例を図７の（ａ）に示す。視標は左側列の１文字を呈示するようにマスクがけを行う。この視標から検査がスタ−トする。被検者の判読による応答に応じ、スイッチ群４１のアップ・ダウンキ−を操作してマスクがけの視標を上下に変化させることにより、視力値を入力する。
【００２３】
右眼の裸眼視力測定が終了したら、次に左眼を指定して同様に視力測定を行う。マイクロコンピュ−タ回路５０は左眼の他覚値デ−タに基づき、予想視力を算出し、視標呈示装置４にその視力値を持つ検査視標を呈示させる。左眼の時の呈示視標の例を図７の（ｂ）に示す。この時の視標呈示は、右眼のときの左側列呈示に対して右側列の一文字を呈示するようにマスクがけを行う。検者は、被検者の視認状態により左眼の裸眼視力値を入力する。
【００２４】
続いて両眼測定指定スイッチを押して両眼の視力測定を行う。両眼測定の指定スイッチが押されると、マイクロコンピュ−タ回路５０は右と左の入力された視力値の高い方の値の視力値視標を呈示させる。このときの呈示例を図７の（ｃ）に示す。これは例えば左眼の方が視力が高く、その入力視力値は０．４であった例であり、右眼及び左眼のときの呈示視標に対して異なる列の視標を呈示するようにマスクがけを行う（２列呈示の場合は、最後に呈示したものと異なる列の視標を呈示する）。
【００２５】
このように本装置は他覚値デ−タを基に予想視力値を得て、その予想視力値の視標呈示から検査を開始するので、かけ離れた視力値視標から視力検査を行う場合に比べて短い時間で検査を行うことができ、検者及び被検者双方の負担を軽減することができるとともに、正確な値を得ることができる。
また、測定眼に応じて異なる視標を呈示することにより、被検者が視標を記憶してしまうことによる不正確な視力検査を防ぐことができる。
【００２６】
裸眼視力測定が終了したら送りスイッチ４１ｂを押し、ディスプレイ３０に表示される眼鏡の有無を確認するメッセ−ジの指示に従い、被検者が前眼鏡を所持しているときは前眼鏡視力検査を行う。
【００２７】
ここで前眼鏡デ−タの入力について説明する。前眼鏡デ−タは、他覚値デ−タ等と同様にレンズメ−タ９からデ−タ転送によりメモリ５６に記憶させ、その後入力スイッチ、前眼鏡スイッチを押すことによりメモリ５２の前眼鏡値メモリエリアに記憶する（他覚値デ−タと同じ様に、通信によるデ−タ転送の他、入力スイッチ群３８の操作により手入力で行ってもよい）。本装置は自覚検査開始時に自覚式屈折力測定装置２の初期設定を他覚値デ−タに対応した光学系にするか、あるいは前眼鏡値デ−タに対応したものにするかを予め選択設定できる機能（図示を略したセット画面で設定することにより、装置は設定した方のデ−タを最終的に自覚値メモリエリアにコピ−する）を有している。したがって、前眼鏡デ−タと他覚値デ−タの入力順には関係なく、検者は所期したデ−タに対応した光学系を初期設定して自覚検査を始めることができるようになっている。
【００２８】
前眼鏡視力検査は検査眼を指定して始める。マイクロコンピュ−タ回路５０は他覚値デ−タと眼鏡度数デ−タに基づき、残留度数を求める。続いて、求めた残留度数から前記した裸眼視力値算出と同様（他覚値デ−タを残留度数に置き換える処理を行い）に、眼鏡による予想視力値を得る。そして、残留度数から得た予想視力値が、前段階の裸眼視力値よりも低いときには、裸眼視力値による視標を呈示し、それ以外のときは残留度数から求められた予想視力値に基づく視標を呈示して測定をスタ−トする。
呈示視標は、裸眼視力の検査のときと同様に、測定眼に応じて異なる視標を呈示し、被検者が視標を記憶してしまうことによる不正確な視力検査を防止する。
前眼鏡視力検査が終了したら、検者はプログラムに従い、自覚検査、処方値決定を行う。処方値が決定できたら、プリントスイッチを押して検査結果を出力する。
【００２９】
以上の説明では、検眼プログラムに沿った手順で説明したが、本装置によるプログラム検眼を実行しなくても裸眼スイッチ、前眼鏡スイッチをそれぞれ押して、裸眼測定モ−ド、前眼鏡測定モ−ドとし、測定眼を指定することによっても予想視力値を得て、これに基づいて視標呈示をすることはいうまでもない。
【図面の簡単な説明】
【００３０】
【図１】実施例である検眼装置の全体構成を示す外観図である。
【図２】コントロ−ラ５を上から見た図である。
【図３】装置の制御を説明するためのブロック図である。
【図４】他覚式眼屈折力測定装置の測定デ−タを入力したときのディスプレイにおける表示例を示す図である。
【図５】近視度数による視力値テ−ブル表を示す図である。
【図６】年齢による調節力値テ−ブル表を示す図である。
【図７】他覚値デ−タにより求められた右眼、左眼及び両眼の予想視力値を持つそれぞれの呈示視標の例を示す図である。
【符号の説明】
【００３１】
２  自覚式屈折力測定装置
３  他覚式眼屈折力測定装置
４  視標呈示装置
５  コントロ−ラ
３８  入力スイッチ群
５０，５５，６０，７０  マイクロコンピュ−タ回路
５１，５２，５６  メモリ
【図１】
0003631238.tif 000002
【図２】
0003631238.tif 000003
【図３】
0003631238.tif 000004
【図４】
0003631238.tif 000005
【図５】
0003631238.tif 000006
【図６】
0003631238.tif 000007
【図７】
0003631238.tif 000008